(57)【特許請求の範囲】
【請求項１】
紙や合成樹脂などからなる薄板に円形や多角形などの環状の切り離し用の切り目を入れてあり、
該環状切り目の外側部は、直径方向にフロスを張ってあり、しかも該フロスとほぼ同一線上で二つ折りできるようになっていること、
該環状切り目の内側部に前記フロスの一端を連結してあること、
前記の薄板を二つ折りにしたとき、その二つ折りの部分間に、前記の環状切り目から切り離した円形や多角形の部分をテンション板として挟み得るように構成されていること、
を特徴とする簡易歯間清掃具。
【発明の詳細な説明】
【０００１】
【産業上の利用分野】
本発明は、主として、使用時に弓状に形成して口腔の中に挿入し、弓の弦に対応するフロスで歯間を清掃する歯間清掃具、特に簡易構造の歯間清掃具に関する。
【０００２】
【従来の技術】
合成樹脂によってアーチ状あるいはＵ字状、半円状などの弓幹部を形成し、その両端間にデンタルフロス（以下「フロス」と略す）を張ると共に、弓幹部の一端に取っ手を一体形成した歯間清掃具は一般に知られている。
【発明が解決しようとする課題】
しかしながら、これらの歯間清掃具は、使用している間に、フロスが伸びたり、フロスと弓幹部との固定が緩んだりして、フロスが弛んでしまう、という問題がある。その結果、使いづらいばかりか、食べかすや歯垢などを除去し難い。結局、歯間清掃具としての目的を達成できない。
【０００３】
また、歯間清掃具を常時携帯して、食後常に歯の清掃をしないと気の済まない人も多いが、従来の歯間清掃具では、サイズが大きすぎて嵩張るため、携帯には適しない。
【０００４】
しかも、従来の歯間清掃具は、合成樹脂製なため、製造のための金型が高価となり、製造コストが高価となった。
【０００５】
本発明の技術的課題は、このような問題に着目し、薄板状で嵩張らず、小型で携帯に適し、しかも安価に製造でき、フロスにテンションが加わった状態で使用可能な簡易歯間清掃具を実現することにある。
【０００６】
【課題を解決するための手段】
本発明の技術的課題は次のような手段によって解決される。請求項１は、紙や合成樹脂などからなる薄板に円形や多角形などの環状の切り離し用の切り目を入れてあり、該環状切り目の外側部は、直径方向にフロスを張ってあり、しかも該フロスとほぼ同一線上で二つ折りできるようになっていること、該環状切り目の内側部に前記フロスの一端を連結してあること、前記の薄板を二つ折りにしたとき、その二つ折りの部分間に、前記の環状切り目から切り離した円形や多角形の部分をテンション板として挟み得るように構成されていること、を特徴とする簡易歯間清掃具である。環状切り目の内側部も、二つ折りにして使用してもよい。
【０００７】
このように、紙や合成樹脂などからなる薄板に環状の切り離し用の切り目を入れてあるので、通常は１枚の薄板の状態で携帯し、使用に際して環状切り目から円形部を切り離せば、該環状切り目の内側部に前記フロスの一端を連結してあるため、円形部をテンション板として使用できる。しかも、使用時に少なくとも環状切り目の外側部をフロスとほぼ同一線上で二つ折りにすれば、アーチ状凹部が形成され、しかもアーチ状凹部の直径方向にフロスが張られているため、フロスによる歯間清掃ができる。
【０００８】
そして、前記の薄板を二つ折りにしたとき、その二つ折りの部分間に、前記の環状切り目から切り離した円形や多角形の部分をテンション板として挟み得るように構成されているので、使用に際して環状切り目からほぼ円形や多角形の部分を切り離して二つ折りの部分間に挟めば、円形や多角形の部分をテンション板として使用できる。しかも、フロスの一端がテンション板に連結されているので、歯間清掃の際にテンション板の操作でフロスにテンションを加えることができる。したがって、フロスがゆるんで歯間清掃が不能ないし困難になるといった問題は発生しない。
【０００９】
【発明の実施の形態】
次に本発明による簡易歯間清掃具が実際上どのように具体化されるか実施形態を説明する。図１は本発明による簡易歯間清掃具の基本構成を示す斜視図である。１は一重の薄板からなる本体であり、アーチ状凹部２を形成してある。そして、その両端２ａ、２ｂ間に、フロス３を張ってある。
【００１０】
この図では、フロス３の両端を、アーチ状凹部２の両端２ａ、２ｂの細い貫通孔を通過して片面に引き出した状態で、抜け止め３ａ、３ｂを形成してある。この抜け止め３ａ、３ｂは、結び目を作って形成してもよいし、加熱して膨らませて形成してもよい。
【００１１】
アーチ状凹部２の外側の弓幹状部１ｚは、口腔の中に入れやすい形状をしておればよく、特に形状は限定されない。口腔の中に入れやすいように、アーチ状凹部２の片側は１ａのように、斜めにカットしてあるのに対し、他方は１ｂのように、カット部１ａとほぼ平行にカットすることで、取っ手部１ｃを形成してある。
【００１２】
したがって、この簡易歯間清掃具を口腔に挿入した状態で、取っ手部１ｃを挟持して、フロス３を歯間に挿入して、歯間を清掃することができる。形状が薄板状なため、嵩張らず、携帯にも適している。なお、直線のカット部１ａ、１ｂに代えて、鎖線のように円弧状にカットしてもよい。
【００１３】
図２は、アーチ状凹部２の部分を切り抜いた際に発生した半円状のテンション板４に、フロス３の一端を挿通し、抜け止め３ｂを形成して、連結してある。したがって、通常は、フロス３はたるんでいる。
【００１４】
その結果、フロス３を歯間に挿入した状態で、テンション板４を指で操作することによってフロス３を引っ張ると、フロス３にテンションを加えることができ、歯の隣接する面を確実に清掃できる。
【００１５】
テンション板４は、取っ手部１ｃに重ねて指で挟持することによって、フロス３にテンションが発生するように、容易に操作できる。
【００１６】
図３は、図２の簡易歯間清掃具を、薄板を二つ折りにして実現した場合の実施形態である。図から明らかなように、アーチ状凹部２の両端２ａ、２ｂにおいて、二つ折りされている。このように、二つ折りの簡易歯間清掃具は、折り目から広げて展開すれば、一重になるため、携帯がより容易になる。また、一重の薄板を二つ折りにして使用するので、使用時の強度が強くなる。
【００１７】
つまり、図１のように、一重の薄板で形成する場合は、厚めの剛性の強い薄板を用いる必要があるのに対し、図３のように、二つ折りにして使用する場合は、比較的薄手で強度が比較的弱い薄板でも差し支えない。いずれにしても、例えば、名刺とほぼ同程度、あるいは名刺より厚めの程度を想定すればよい。
【００１８】
図２、図３のテンション板４は、アーチ状凹部２を形成する際に切除した部分をそのまま利用しているため、材料を節減でき、製造も容易になる。また、携帯時には、テンション板４をアーチ状凹部２中に押し込んで格納できるので、薄型化がより容易になる。
【００１９】
図４は、図３の簡易歯間清掃具を広げて展開し、一重にした状態の平面図である。５は一重の薄板であり、その外形は、図３の簡易歯間清掃具を展開した形状になっている。中心の想像線６は折り目であり、ほぼ中央に円形の切り目７が形成されている。ただし、切り目７は、必ずしも円形でなく、多角形などでもよく、環状をした切り目であればよい。
【００２０】
フロス３は、あらかじめ図示のように通されている。すなわち、折り目６の左側において、薄板５の下面側の結び目３ａを起点として、矢印で示すように、先端２ａ側において、折り目６の左側から上側に出て、折り目６の右側から下側に貫通し、次いで破線のように手元２ｂ側まで導き、手元２ｂ側で上側に貫通している。さらに、折り目６の左側で下側に貫通し、次に破線で示すように、円形切り目７の内側で、上側に貫通し、かつ折り目６の右側から下側に貫通して、結び目３ｂを形成してある。
【００２１】
したがって、折り目６を中心にして、その両側５１、５２を紙面の上側に折り曲げると共に、切り目７で切り離し、さらにフロス３を引っ張ると、図３の状態となる。
【００２２】
図４の実施形態では、テンション板４は、二つ折りで半円状となるが、図５〜図７の実施形態では、円形のテンション板となる。
【００２３】
図５においては、一重の薄板５の外形は、図４の場合と同様であるが、フロス３は、折り目６において、先端２ａ側の上面側の結び目３ａを起点として、矢印で示すように、下側に貫通して、下側で破線のように手元２ｂ側まで導き、手元２ｂ側で上側に貫通し、最後に、テンション板４となる円形切り目７の内側で、下側に貫通して、結び目３ｂを形成している。
【００２４】
図４の実施形態では、テンション板４も折り目６で二つ折りにして半円形に形成しているのに対し、この実施形態の場合は、切り目７の内側は二つ折りにせず、円形のテンション板４となる。
【００２５】
したがって、使用に際しては、先ず図６のように、切り目７で円形のテンション板４を切り離す。次に、円形切り目７の外側の領域５１、５２を、折り目６の位置で折り曲げる。すなわち、折り目６を中心にして、その両側５１、５２を紙面の上側に折り曲げると、図７のような形状となり、アーチ状凹部２が形成される。
【００２６】
そして、フロス３は、アーチ状凹部２の両端の折り目６上において、両端２ａ、２ｂ間に張られており、二つ折りの部分間に挟まれている一重のテンション板４のほぼ中心において、結び目３ｂが係止されている。
【００２７】
したがって、この簡易歯間清掃具を口腔に挿入してから、円形のテンション板４を二つ折りの弓幹状部５１、５２に挟んだ状態で操作すると、フロス３にテンションを加えた状態で、歯間清掃できる。
【００２８】
なお、アーチ状凹部２やテンション板４は、必ずしも真円である必要はなく、楕円状その他の円弧状などでもよい。また、必ずしも円弧である必要はなく、鎖線２１のような３角形や鎖線２２のような６角形、その他の多角形でもよい。さらに、円弧や直線や角の連続したアーチ状でもよい。
【００２９】
図８は、図５に対応する平面図であり、図５と同様な構成が、ミシン目８を境にして複数形成されている。したがって、この図のような一重の薄板を携帯すると、使用時にミシン目８から切り離してから、図５、図６、図７のような操作で容易に１回分の簡易歯間清掃具を組み立てて使用することができる。
【００３０】
図９は、図５の簡易歯間清掃具において、弓幹状部５１、５２の両端に折り目９１、９２を設けておいて、使用時に図１０のように折り曲げて、４枚重ねにする実施形態である。このように、取っ手部５ｃが４枚重ねとなるため、使用時の強度をより高くできる。
【００３１】
図１１はフロスが２本張りの実施形態である。弓幹状部１ｚは、一重でも二つ折りでも差し支えないが、下側にフロス３１が、上側にフロス３２が張られている。しかも、下側にフロス３１の真上に上側にフロス３２が張られていて、互いに平行になっている。結局、２本のフロス３１と３２とは、弓幹状部１ｚの面と直角方向に２本重ねとなる。
【００３２】
したがって、２本のフロス３１、３２を歯間に挿入するには、弓幹状部１ｚを水平の状態とし、最初に下側の１本目のフロス３１を挿入し、次いで上の２本目のフロス３２を挿入する、という手順になる。
【００３３】
歯間清掃に際しては、弓幹状部１ｚを立てて使用する。すると、片方のフロス３１は片方の歯を清掃し、他方のフロス３２は、隣接する他方の歯を清掃することになり、一度に隣接する２本の歯を清掃できることになる。
【００３４】
このように、弓幹状部１ｚの面と直角方向に２本重ねとなるように２本のフロス３１、３２を張る構成は、歯間への挿入は１本フロスの場合と同様に容易であり、歯間清掃時は２本のフロス３１、３２が独立して効率的に機能するので、多忙な現代人には極めて有効である。
【００３５】
２本のフロス３１、３２のアーチ状凹部２の両端２ａ、２ｂへの取り付け方は任意であるが、図示実施形態の場合は、弓幹状部１ｚの手元側の端部２ｂの上側の結び目３ａを起点として、矢印のように、下側面に貫通してから、下側フロス３１を形成し、次いで先端２ａ側で上側面に貫通して、上側フロス３２となって手元側に戻ってから、下側面に貫通し、結び目３ｂを形成してある。
【００３６】
この場合、片方の結び目３ａまたは３ｂを延長して、テンション板に連結すれば、使用時にテンション板を独立操作して、テンションを与えた状態で歯間清掃できる。
【００３７】
なお、本発明の簡易歯間清掃具を形成する薄板は、紙や合成樹脂などで構成されている。合成樹脂の薄板の場合は、テレホンカードなどと同程度の板厚でよい。
【発明の効果】
【００３８】
請求項１のように、紙や合成樹脂などからなる薄板に環状の切り離し用の切り目を入れてあるので、通常は１枚の薄板の状態で携帯し、使用に際して環状切り目から円形部を切り離せば、該環状切り目の内側部に前記フロスの一端を連結してあるため、円形部をテンション板として使用できる。しかも、使用時に少なくとも環状切り目の外側部をフロスとほぼ同一線上で二つ折りにすれば、アーチ状凹部が形成され、しかもアーチ状凹部の直径方向にフロスが張られているため、フロスによる歯間清掃ができる。
【００３９】
そして、前記の薄板を二つ折りにしたとき、その二つ折りの部分間に、前記の環状切り目から切り離した円形や多角形の部分をテンション板として挟み得るように構成されているので、使用に際して環状切り目からほぼ円形や多角形の部分を切り離して二つ折りの部分間に挟めば、円形や多角形の部分をテンション板として使用できる。しかも、フロスの一端がテンション板に連結されているので、歯間清掃の際にテンション板の操作でフロスにテンションを加えることができる。したがって、フロスがゆるんで歯間清掃が不能ないし困難になるといった問題は発生しない。
【図面の簡単な説明】
【００４０】
【図１】  本発明による簡易歯間清掃具の基本構成を示す斜視図である。
【図２】  テンション板つきの簡易歯間清掃具の斜視図である。
【図３】  薄板を二つ折りにしてなるテンション板つきの簡易歯間清掃具の斜視図である。
【図４】  図３の簡易歯間清掃具を広げて展開した状態の平面図である。
【図５】  簡易歯間清掃具の使用前の状態の平面図である。
【図６】  図５の簡易歯間清掃具のテンション板を外した状態の平面図である。
【図７】  図５の簡易歯間清掃具を二つ折りにした状態の斜視図である。
【図８】  複数連続形成された簡易歯間清掃具の平面図である。
【図９】  補強構造の簡易歯間清掃具の展開図である。
【図１０】  図９の補強構造の簡易歯間清掃具を二つ折りにした状態の斜視図である。
【図１１】  フロスが２本張りの簡易歯間清掃具の斜視図である。
【符号の説明】
【００４１】
１  一重の薄板
１ｚ  アーチ状凹部の弓幹状部
１ｃ  取っ手部
２  アーチ状凹部
２ａ、２ｂ  アーチ状凹部の両端
３  フロス
３ａ、３ｂ  結び目（抜け止め）
３１、３２  フロス
４  テンション板
５  薄板
５１、５２  弓幹状部
６  折り目
７  切り目
８  ミシン目
９１、９２  折り目
【図１】
0003673462.tif 000002
【図２】
0003673462.tif 000003
【図３】
0003673462.tif 000004
【図４】
0003673462.tif 000005
【図５】
0003673462.tif 000006
【図６】
0003673462.tif 000007
【図７】
0003673462.tif 000008
【図８】
0003673462.tif 000009
【図９】
0003673462.tif 000010
【図１０】
0003673462.tif 000011
【図１１】
0003673462.tif 000012